(57)【要約】【課題】移動式座位入浴装置の槽本体の傾斜開口面を開閉する前面扉の開口時において、前面扉に回転動と直進動を与えて、前面扉を槽本体の側面に収納するようにした老人や肢体不自由者等に供する簡易な移動式座位入浴装置を提供する。【解決手段】槽本体の側壁面に沿ってレール部材等を案内として直進動する可動体を設けると共に、この可動体に前面扉の一端を蝶番等を介して枢着し、前面扉の他端に槽本体との間のロック装置を設置し、前面扉の開閉と収納を行うようにした。【選択図】　　　図３
2004141463.tif 000002
【特許請求の範囲】
【請求項１】
前面に傾斜開口面、槽内に入浴者ごとスライドできるようにしたスライド椅子及び底部にキャスターを備えた槽本体に対し、その側壁面に沿ってレール部材等を案内として直進動する可動体を設けると共に、この可動体によって前面扉の一端を枢支し、前面扉の他端の槽本体との間にロック部材を設置し、上記前面扉に回転動と直進動を付与して、槽本体の側面に前面扉を収納するようにしたことを特徴とする移動式座位入浴装置。
【請求項２】
上記前面扉に設けた上下２つの掛け金と、この掛け金に対応して槽本体に設けたフックとの係合過程において、ダブルトグル効果を利用した事を特徴とする請求項１記載の移動式座位入浴装置。
【発明の詳細な説明】
【０００１】
【発明の属する技術分野】
この発明は、自力では入浴できない老人や肢体不自由者等に供する入浴装置、殊にバスタブ自体が入浴待機者の居るところまで自由に移動できるようにした、小型で簡易な移動式座位入浴装置に関するものである。
【０００２】
【従来の技術】
従来、この種の入浴装置は、本出願人によって既に開発され商品化されている。即ち図１及び図２に示すように、前面に傾斜開口面１０１、槽内を前後に移動できるようにしたスライド椅子１０２、底部にキャスター１０３等を具備した槽本体１０４と、この槽本体とは別体の前面扉１０５等から形成されていて、上記槽本体１０４の前方乗降位置において上記スライド椅子１０２上に着座させた入浴者を、乗降位置から入浴位置へスライド椅子ごと後退させた後、施錠部材１０６を介して上記前面扉１０５により、上記傾斜開口面１０１を密封した上、槽内に給湯して入浴が行われる。尚、上記前面扉１０５の内面又は傾斜開口面１０１には、傾斜開口面１０１又は前面扉１０５に圧接する水密ゴムシール１０７が、又、槽本体１０４には、スライド椅子１０２のガイドレールや排水栓（いずれも図示せず）等が装備されることは言うまでもない。そして、出浴に際しては、排水栓を抜き去って槽内湯を外部に排出させた後、施錠部材１０６を解錠して前面扉１０５を取り除き、傾斜開口面１０１を開放する。次いで、入浴者を乗降位置まで前進させて、スライド椅子１０２から降ろしてやることで出浴が完了するものである。
【０００３】
又、前述した槽本体１０４は、それ自体が浴室から脱衣室、脱衣室から浴室へ移動して入浴者を乗降させるため、座椅子を槽本体１に対して前後にスライドさせることにより、入浴者の乗り降り行動を容易化したり、加えて前面開口面を２０°〜３０°程度傾斜させることで入浴者の身体が側面から見えないようプライバシーの保護を図ると同時に、節湯効果も期待できる等多くの実用価値大なる工夫が実施されているばかりでなく、槽本体１０４のサイズを市販されている車椅子の寸法と同程度とした上、前面扉１０５を分離独立式としたことにより、極めて小型コンパクト化した入浴装置が得られる。その結果、狭い浴室スペースであっても制限されることなく悠々使用できるよう構成されているものである。
【０００４】
反面、実重量が７．５ｋｇの前面扉１０５を入出浴ごと、介助者の手動操作にて着脱する作業及び取り去った前面扉を入浴介助作業に邪魔にならない壁面まで持ち運んで立て掛けする作業は、非能率で非力な女性介助者にとってかなりの負担になっていた。
【０００５】
【発明が解決しようとする課題】
本発明は上述した点に鑑み、前面扉と槽本体とを分離式とせず、前面扉の開口時において前面扉に回転動作とこれに続く直進動作を与えて、当該前面扉を槽本体の側面に収納させることにより、従来の利点を何等失うことなく上記の問題点を有効且つ適切に解決せんとしたものである。
【０００６】
【課題を解決する為の手段】
本発明の請求項１記載の移動式座位入浴装置は、前面に傾斜開口面、槽内に入浴者ごとスライドできるようにしたスライド椅子及び底部にキャスターを備えた槽本体に対し、その側壁面に沿ってレール部材等を案内として直進動する可動体を設けると共にこの可動体によって前面扉の一端を枢支し、前面扉の他端に槽本体との間のロック装置を設置し上記前面扉に回転動と直進動を付与して、槽本体の側面に前面扉を収納することを特徴とする。
【０００７】
請求項２記載の移動式座位入浴装置は、前面扉に設けた上下２つの掛け金と、この掛け金に対応して槽本体に設けたフックとの係合過程においてダブルトグル効果を利用したことを特徴とする。
【０００８】
【作用】
上記請求項１記載の移動式座位入浴装置によると、前面扉は槽本体の側面壁に沿って直進動する可動体に枢支されているので、回転動と直進動を付与することが可能である。従って入出浴時には、前面扉を槽本体の側面に収納しておくことができるので、介助作業の負担が軽減されると共に作業効率の向上及び安全性の高い介助作業等多くのメリットが期待できる。
【０００９】
請求項２による前面扉はダブルトグル効果を利用したロック装置を採用したので、介助者の身体等が誤って操作レバーに接触しても解錠して了う恐れはなく、しかもワンタッチ操作により簡易に施錠及び解錠することが出来る。
【００１０】
【発明の実施の形態】
以下、本発明の一例を図３以降の実施例に基づいて説明する。図３は、本発明の作動態様を示す側面図で、イ図は、槽本体１の傾斜開口面２を前面扉３によって密封した状態で、この状態から前面扉３を後述するロック及び開閉装置を介して、ロ図の如く所定角度回動させ、次いで同じく後述する第１及び第２の可動体Ａ及びＢを介して前記前面扉３を槽本体１の外側壁に沿って八及び二図の如く直進移動させることにより所望位置へ収納せんとしたものである。
【００１１】
続いて、本装置の詳細構造を説明する。図４乃至図９は、前面扉３のロック及び開閉装置を示す図で前面扉３には、図４の如く両側端の上下に各々開閉装置の一部を構成する蝶番片４とロック装置の一部を構成するフック５が固設されている。尚、６は前面扉開閉用の把手であり、又Ｕ字状の破線示（図４参照）は、ゴム等の弾性体からなる水密シール７を示す。
【００１２】
一方、槽本体１側には、前記上下２ヶ所に設けたフック５と各々係合する掛け金８が設けられている。即ち、この掛け金８はピン９を介してレバー１０に枢着され、レバー１０は槽本体１に固定したブロック１１に対してピン１２により回転可能に取り付けられている。又、上記、上下のレバー１０、１０は操作バー１３によって連結されている。更に、上下の掛け金８、８間も連結バー１４によって結合されている。
【００１３】
又、前記蝶番片４に対応する蝶番片１５は、第１の可動体Ａに固定されている。この両蝶番片間にピン１６を挿通して所謂蝶番機能を持たす。従って、当該蝶番を介して上記前面扉３は、図７の如く９０°強（約９２°）回動した状態で、蝶番片１５側に設けたストッパー１７に蝶番片４の一部が当接して停止するよう形成されている。
【００１４】
次に可動体Ａ、Ｂついて図５、図１０及び図１１によって説明する。先ず第１の可動体Ａは、大略三角形状を呈する金属板から形成され、その裏面にはＬ字状に折り曲げたホルダーＨ１、Ｈ２が上端と下端に取付られている。この上段側ホルダーＨ１にはスライダーＳ１が、下段ホルダーＨ２にはスライダーＳ２、Ｓ３が各々装着されている。又、第１の可動体Ａには、その前面にカバー１８が取付られると共に傾斜部に上記前面扉３に設けたストップブロック１９に当接するストッパー２０が固定されている。
一方、表面が塗装された金属板から成る第２の可動体Ｂには、上記スライダーＳ１を摺動自在に受嵌するガイドレールＬ１及びスライダーＳ２、Ｓ３を同じく摺動自在に受嵌するガイドレールＬ２が互いに平行且つ水平方向に固定されると共に両ガイドレールＬ１、Ｌ２の内方に並行して一対のスライドレールＬ３及びＬ４が取付られている。又、槽本体１の外側壁に１Ａには、上記スライドレールＬ３及びＬ４に対向して長さも等しい一対のスライドレールＬ５及びＬ６が取付られている。そして上記スライドレールＬ３とＬ５及びＬ４とＬ６との間にはスライドベアリングＳＢ１およびＳＢ２が各々嵌入している。又、上記ガイドレールＬ１及びＬ２には、図５に示す如くその左端にスライダーＳ１、Ｓ２の左動を規制するストップ片２１が取付られると共に上記スライドベアリングＳＢ１及びＳＢ２にはその内部パーツの一部（図示せず）が所定量のストローク稼動するとスライドベアリング全体がスライドレールに案内されて稼動するよう予め形成されているものである。
【００１５】
以上のように構成された本発明に係る移動式座位入浴装置は、次のように使用される。図６、図８及び図９の如く前面扉３がロック状態にあってこれを解除するには、図８に示すように先ず操作バー１３を回転操作する。この操作バー１３の回転操作により、レバー１０はピン１２を中心にして矢示Ｙ方向に回動する。このレバー１０の回転動に連動して掛け金８もピン９を介してピン１２を中心に矢示Ｙ方向に回転し始めると同時に矢示Ｚ方向に向けて直進移動する。この結果、操作バ−１３を規定量回動すれば掛け金８は所定量Ｚ方向に移動し、フック５との間の係合を自動的に解除するものである。尚、上下のレバー１０、１０は操作バー１３によって連結されていると共に、上下の掛け金８、８も連結バー１４により直結されているため、介助者による操作バー１３のワンタッチ操作でフック５、５と掛け金８、８との間の係合が同期して自動的に解除されるものである。こうして前面扉３のロックが解除された後、把手６を持って、前面扉３をピン１６回りに回動すれば槽本体１の傾斜開口面２を開放し始める。
そして、前面扉３の回転角が約９２°程度に達すると前面扉３側に設けた蝶番片４の一部と第１の可動体Ａ側の蝶番片１５に取り付けたストッパー１７とが当接してそれ以上の回動を規制し、同時に傾斜開口面２の前面を開放する。次いで前面扉３を槽本体１の側壁１Ａに沿って動かせば、当該前面扉３は、ガイドレールＬ１及びＬ２に案内されるスライダーＳ１及びＳ２、Ｓ３を介して第１の可動体Ａと一体となって直進移動する。こうした直進移動が所定量に達するとスライダーＳ１及びＳ２の先端部がガイドレールＬ１及びＬ２のレール端に設けたストップ片２１、２１と当接し、その後も更に直進動させると、スライドベアリングＳＢ１、ＳＢ２とスライドレールＬ３、Ｌ４、Ｌ５、Ｌ６を介して第２の可動体Ｂも一緒になって直進移動する。而して、前面扉３の自由端が図３の二の如く槽本体１の傾斜開口面２と大略一致する付近まで移動した時点でスライドベアリングＳＢ１、ＳＢ２の動きを図示しない拘束装置によって停止すれば、前面扉３は第１及び第２可動体との共同作用により長ストロークが得られるので、介助者の入出浴作業に支障のない槽本体１の側面に確実に収納される。
【００１６】
続いて、前面扉３を元のロック状態に戻すには、上述と逆操作を行えば良い。即ち入浴者をスライド椅子に乗せ、スライド椅子ごと槽内後方に移動させた後、前面扉３を移動操作すれば、当該前面扉３は第１及び第２の可動体Ａ及びＢの三者が一体となって所定ストローク直進動し、その後は第１の可動体Ａと一体となってストッパー２０がストップブッロック１９に当接するまで直進移動する。
【００１７】
直進動が規制された後は、前面扉３を枢支している蝶番を介して当該前面扉３を水密シール７と傾斜開口面２とが当接するまで回動操作する。
こうした状態から操作バー１３を前述と逆方向に回転操作すれば、掛け金８とフック５とが緊密に係合して前面扉３をロックすると同時に水密シール７が傾斜開口面２に弾圧して給湯時の漏れを防止する。尚、上記ロック状態に移行する過程にあって、レバー１０と掛け金８との間を枢着するピン９の中心点Ｘ１が、レバー１０の回転中心Ｘ２と操作バー１３の中心点Ｘ３とを結ぶ直線Ｘ−Ｘ線を超えた位置でロッキングを行っているため（図８参照）所謂トグル効果によって前面扉３は安定且つ確実なロックが期待できる。即ち上記トグル効果は、上下２ヶ所でダブルトグル効果が発揮される為、例えば操作バー１３に介助者の身体等が誤って接触したとしても解錠してしまう恐れは皆無である。そして、前面扉３が確実にロックされたことを確認した上、槽内に給湯して入浴が行われるものである。
【００１８】
【発明の効果】
以上説明したように、本発明の請求項１によれば、移動式座位入浴装置の槽本体の一側面にレール部材を案内として直進動する可動体に前面扉を枢支すると共に前面扉の自由端にロッキング部材を設けたから、前面扉には、その開閉時において、回転動と直進動が与えられて槽本体の側面に収納される結果、前述した従来の特色を何等損なうことなく介助作業の負担を大幅に軽減することが出来ると同時に作業効率のアップ及び安全性の高い介助作業が期待できる。
【００１９】
更に、請求項２によれば前面扉に設けた上下２つの掛け金と槽本体のフックとの係合過程において、ダブルトグル効果を利用してロックが行われるため、介助者の身体等が操作バーに誤って触れたりしても、解錠して了う恐れがないばかりか、前面扉の解錠及び施錠がワンタッチ操作により簡単且つ確実に行うことができる。
【図面の簡単な説明】
【図１】従来の移動式座位入浴装置の外観斜視図である。
【図２】従来の移動式座位入浴装置で前面扉を開いた外観斜視図である。
【図３】本発明の移動式座位入浴装置で前面扉の作動状態を示す左側面図である。
【図４】本発明の移動式座位入浴装置で前面扉の正面図である。
【図５】本発明の移動式座位入浴装置で前面扉の閉時を示す左側面図である。
【図６】本発明の移動式座位入浴装置で前面扉の右側面図である。
【図７】本発明の移動式座位入浴装置で前部の平断面図である。
【図８】本発明の移動式座位入浴装置で前面扉のロック装置を示す平断面図である。
【図９】本発明の移動式座位入浴装置で図８を９０°展開した側面図である。
【図１０】本発明の移動式座位入浴装置で前面扉の可動部材を示す平断面図である。
【図１１】本発明の移動式座位入浴装置で前面扉の直進移動部材を示す側面図である。
【符号の説明】
１　　　　　　　　　　槽本体
２　　　　　　　　　　傾斜開口面
３　　　　　　　　　　前面扉
４、１５　　　　　　　　蝶番片
５　　　　　　　　　　フック
６　　　　　　　　　　把手
７　　　　　　　　　　水密シール
８　　　　　　　　　　掛け金
９、１２、１６　　　　　　ピン
１０　　　　　　　　　　レバー
１１　　　　　　　　　　ブロック
１３　　　　　　　　　　操作バー
１４　　　　　　　　　　連結バー
１７、２０　　　　　　　　ストッパー
１９　　　　　　　　　　ストップブロック
２１　　　　　　　　　　ストップ片
Ａ　　　　　　　　　　　第１の可動体
Ｂ　　　　　　　　　　　第２の可動体
Ｈ１、Ｈ２、Ｈ３　　　　　ホルダー
Ｌ１、Ｌ２　　　　　　　ガイドレール
Ｌ３、Ｌ４、Ｌ５、Ｌ６　　スライドレール
Ｓ１、Ｓ２、Ｓ３　　　　　スライダー
ＳＢ１、ＳＢ２　　　　　スライドベアリング
【図１】
2004141463.tif 000003
【図２】
2004141463.tif 000004
【図３】
2004141463.tif 000005
【図４】
2004141463.tif 000006
【図５】
2004141463.tif 000007
【図６】
2004141463.tif 000008
【図７】
2004141463.tif 000009
【図８】
2004141463.tif 000010
【図９】
2004141463.tif 000011
【図１０】
2004141463.tif 000012
【図１１】
2004141463.tif 000013